(57)【特許請求の範囲】
【請求項１】
遊技の進行に応じた演出等を表示する少なくとも２つの表示手段と、
前記少なくとも２つの表示手段を制御する表示制御手段とを有し、
前記表示制御手段は、
前記少なくとも２つの表示手段にて表示される画像データをそれぞれ生成する画像生成手段と、変換手段と、復号手段と、を有し、
前記画像生成手段は、
前記画像データを含む第１の差動信号と、
前記画像データを含むパラレル信号と、を送信可能に構成し、
前記変換手段は、
前記パラレル信号を第２の差動信号に変換し、
前記復号手段は、
前記変換手段にて変換された前記第２の差動信号を元の信号に復号し、
前記少なくとも２つの表示手段は、駆動周波数特性が異なると共に、画面サイズが異なり、
前記少なくとも２つの表示手段のうち一方の表示手段には、前記第１の差動信号が出力され、他方の表示手段には、前記復号手段にて復号された信号が出力されてなることを特徴とする遊技機。
【発明の詳細な説明】
【技術分野】
【０００１】
本発明は、パチンコ機、アレンジボール機、雀球遊技機、スロットなどの遊技機に関し、より詳しくは、駆動周波数特性が異なると共に、画面サイズが異なる複数の表示手段を用いて演出性を高めることができると共に、表示制御の信頼性を向上させることができる遊技機に関する。
【背景技術】
【０００２】
従来のパチンコ機等の遊技機として、例えば特許文献１に記載のような遊技機が知られている。この遊技機は、画像データを生成する１つのＶＤＰ（Ｖｉｄｅｏ  Ｄｉｓｐｌａｙ  Ｐｒｏｃｅｓｓｏｒ）によって、当該生成された画像データに応じた画像を表示する１つの画像表示装置を制御するものである。
【先行技術文献】
【特許文献】
【０００３】
【特許文献１】特開２０１１−１６０９９３号公報
【発明の概要】
【発明が解決しようとする課題】
【０００４】
しかしながら、上記のような遊技機には次のような問題があった。すなわち、近年、上記ＶＤＰの出力性能が高速化してきており、多様な演出が行えるようになってきている。そのため、演出性を高めるため、１つの画像表示装置に限らず、複数の画像表示装置を使用しようとする機運が高まってきている。
【０００５】
しかしながら、１つのＶＤＰによって複数の画像表示装置を制御するにあたって、特に、駆動周波数特性が異なり、画面サイズが異なる複数の画像表示装置を制御するにあたっては、当該各画像表示装置をそれぞれ制御する信号の耐ノイズ性や、当該各画像表示装置それぞれの特性等を考慮しないと誤動作を引き起こしてしまい、表示制御の信頼性を低下させてしまうという問題があった。そのため、演出性を高めるため複数の画像表示装置を使用するには、困難性を伴うという問題があった。
【０００６】
そこで本発明は、上記問題点に鑑み、駆動周波数特性が異なると共に、画面サイズが異なる複数の表示手段を用いて演出性を高めることができると共に、表示制御の信頼性を向上させることができる遊技機を提供することを目的としている。
【課題を解決するための手段】
【０００７】
上記本発明の目的は、以下の手段によって達成される。なお、括弧内は、後述する実施形態の参照符号を付したものであるが、本発明はこれに限定されるものではない。
【０００８】
請求項１の発明によれば、遊技の進行に応じた演出等を表示する少なくとも２つの表示手段（メイン液晶表示装置４１Ａ，サブ液晶表示装置４１Ｂ）と、前記少なくとも２つの表示手段を制御する表示制御手段（液晶制御基板９０，液晶Ｉ／Ｆ基板１１０）とを有し、
前記表示制御手段（液晶制御基板９０，液晶Ｉ／Ｆ基板１１０）は、
前記少なくとも２つの表示手段（メイン液晶表示装置４１Ａ，サブ液晶表示装置４１Ｂ）にて表示される画像データをそれぞれ生成する画像生成手段（ＶＤＰ９０ｄ）と、変換手段（トランスミッタ１１１３）と、復号手段（レシーバ１５０１）と、を有し、
前記画像生成手段（ＶＤＰ９０ｄ）は、
前記画像データを含む第１の差動信号（メイン液晶用差動信号ＲＸＩＮ０〜３＋／−，メイン液晶用差動クロック信号ＲＸＣＬＫ_ＩＮ＋／−）と、
前記画像データを含むパラレル信号（サブ液晶表示装置４１Ｂ用の垂直同期信号ＶＳＹＮＣ，水平同期信号ＨＳＹＮＣ，画素クロック信号ＤＯＴＣＬＫ、ディスプレイイネーブル信号ＤＥ，赤データ信号ＤＲ，緑データ信号ＤＧ，青データ信号ＤＢ）と、を送信可能に構成し、
前記変換手段（トランスミッタ１１１３）は、
前記パラレル信号（サブ液晶表示装置４１Ｂ用の垂直同期信号ＶＳＹＮＣ，水平同期信号ＨＳＹＮＣ，画素クロック信号ＤＯＴＣＬＫ、ディスプレイイネーブル信号ＤＥ，赤データ信号ＤＲ，緑データ信号ＤＧ，青データ信号ＤＢ）を第２の差動信号（サブ液晶用差動信号ＴＸＯＵＴ＋／−）に変換し、
前記復号手段（レシーバ１５０１）は、
前記変換手段（トランスミッタ１１１３）にて変換された前記第２の差動信号（サブ液晶用差動信号ＴＸＯＵＴ＋／−）を元の信号（サブ液晶表示装置４１Ｂ用の垂直同期信号ＶＳＹＮＣ，水平同期信号ＨＳＹＮＣ，画素クロック信号ＤＯＴＣＬＫ、ディスプレイイネーブル信号ＤＥ，赤データ信号ＤＲ，緑データ信号ＤＧ，青データ信号ＤＢ）に復号し、
前記少なくとも２つの表示手段（メイン液晶表示装置４１Ａ，サブ液晶表示装置４１Ｂ）は、駆動周波数特性が異なると共に、画面サイズが異なり、
前記少なくとも２つの表示手段（メイン液晶表示装置４１Ａ，サブ液晶表示装置４１Ｂ）のうち一方の表示手段（メイン液晶表示装置４１Ａ）には、前記第１の差動信号（メイン液晶用差動信号ＲＸＩＮ０〜３＋／−，メイン液晶用差動クロック信号ＲＸＣＬＫ_ＩＮ＋／−）が出力され、他方の表示手段（サブ液晶表示装置４１Ｂ）には、前記復号手段（レシーバ１５０１）にて復号された信号（サブ液晶表示装置４１Ｂ用の垂直同期信号ＶＳＹＮＣ，水平同期信号ＨＳＹＮＣ，画素クロック信号ＤＯＴＣＬＫ、ディスプレイイネーブル信号ＤＥ，赤データ信号ＤＲ，緑データ信号ＤＧ，青データ信号ＤＢ）が出力されてなることを特徴としている。
【発明の効果】
【０００９】
本発明によれば、駆動周波数特性が異なると共に、画面サイズが異なる複数の表示手段を用いて演出性を高めることができると共に、表示制御の信頼性を向上させることができる。
【図面の簡単な説明】
【００１０】
【図１】本発明の一実施形態に係る遊技機の外観を示す斜視図である。
【図２】同実施形態に係る遊技機の遊技盤の正面図である。
【図３】同実施形態に係る遊技機の制御装置を示すブロック図である。
【図４】図３に示す液晶Ｉ／Ｆ基板の回路図である。
【図５】（ａ）は、図４に示すトランスミッタの入力タイミングを示し、（ｂ）は、図４に示すトランスミッタの出力タイミングを示したタイミングチャート図である。
【図６】図３に示すサブ液晶Ｉ／Ｆ基板の回路図である。
【図７】図６に示すレシーバの出力タイミングを示したタイミングチャート図である。
【図８】図６に示す３線シリアル信号のタイミングチャート図である。
【発明を実施するための形態】
【００１１】
以下、本発明に係る遊技機の一実施形態を、パチンコ遊技機を例にして、図１〜図８を参照して具体的に説明する。まず、図１及び図２を参照して本実施形態に係るパチンコ遊技機の外観構成を説明する。
【００１２】
図１に示すように、パチンコ遊技機１は、木製の外枠２の前面に矩形状の前面枠３を開閉可能に取り付け、その前面枠３の裏面に取り付けられている遊技盤収納フレーム（図示せず）内に遊技盤４が装着された構成からなる。遊技盤４は、図２に示す遊技領域４０を前面に臨ませた状態で装着され、図１に示すようにこの遊技領域４０の前側に透明ガラスを支持したガラス扉枠５が設けられている。なお、上記遊技領域４０は、遊技盤４の面上に配設された球誘導レール６（図２参照）で囲まれた領域からなるものである。
【００１３】
一方、パチンコ遊技機１は、図１に示すように、ガラス扉枠５の下側に前面操作パネル７が配設され、その前面操作パネル７には上受け皿ユニット８が設けられ、この上受け皿ユニット８には、排出された遊技球を貯留する上受け皿９が一体形成されている。また、この前面操作パネル７には、球貸しボタン１１及びプリペイドカード排出ボタン１２（カード返却ボタン１２）が設けられている。そして、上受け皿９の上皿表面部分には、内蔵ランプ（図示せず）点灯時に押下することにより演出効果を変化させることができる押しボタン式の演出ボタン装置１３が設けられている。また、この上受け皿９には、当該上受け皿９に貯留された遊技球を下方に抜くための球抜きボタン１４が設けられている。
【００１４】
また一方、図１に示すように、前面操作パネル７の右端部側には、発射ユニットを作動させるための発射ハンドル１５が設けられ、前面枠３の上部両側面側には、ＢＧＭ（Ｂａｃｋｇｒｏｕｎｄ  ｍｕｓｉｃ）あるいは効果音を発するスピーカ１６が設けられている。そして、上記前面枠３の周枠には、ＬＥＤランプ等の装飾ランプが配設されている。
【００１５】
他方、上記遊技盤４の遊技領域４０には、図２に示すように、略中央部にＬＣＤ（Ｌｉｑｕｉｄ  Ｃｒｙｓｔａｌ  Ｄｉｓｐｌａｙ）等からなるメイン液晶表示装置４１Ａが配設されている。このメイン液晶表示装置４１Ａは、表示エリアを左、中、右の３つのエリアに分割し、独立して数字やキャラクタあるいは図柄（装飾図柄）の変動表示が可能なものである。そしてこのようなメイン液晶表示装置４１Ａの右側には、ＬＣＤ等からなるサブ液晶表示装置４１Ｂが配設されている。このサブ液晶表示装置４１Ｂは、主にキャラクタや出玉情報等を表示可能なものである。なお、サブ液晶表示装置４１Ｂは、遊技機１の仕様によりその搭載位置は適宜決定される。すなわち、メイン液晶表示装置４１Ａの上部や下部、あるいは、前面枠３側の所要位置、例えば、前面操作パネル７に配置するようにしても良い。
【００１６】
一方、メイン液晶表示装置４１Ａの真下には、特別図柄始動口４２が配設され、その内部には入賞球を検知する特別図柄始動口スイッチ（図３参照）が設けられている。そして、この特別図柄始動口４２の右側には、大入賞口４３が配設され、その内部には入賞球を検知する大入賞口スイッチ（図３参照）が設けられている。
【００１７】
他方、上記サブ液晶表示装置４１Ｂの右上部にはゲートからなる普通図柄始動口４４が配設され、その内部には、遊技球の通過を検知する普通図柄始動口スイッチ（図３参照）が設けられている。また、上記大入賞口４３の右側及び上記特別図柄始動口４２の左側には、一般入賞口４５が夫々配設され（図示では、右側に１つ、左側に３つ）、その内部にはそれぞれ、遊技球の通過を検知する一般入賞口スイッチ（図３参照）が設けられている。
【００１８】
また、上記遊技盤４の遊技領域４０の右下周縁部には、７セグメントを３桁に並べて構成される特別図柄表示装置４６と、２個のＬＥＤからなる普通図柄表示装置４７が設けられている。そしてさらに、上記遊技盤４の遊技領域４０には、図示はしないが複数の遊技釘が配設され、遊技球の落下方向変換部材としての風車４８が配設されている。
【００１９】
次に、上記のような外観構成からなるパチンコ遊技機１内に設けられる遊技の進行状況に応じて電子制御を行う制御装置を、図３を用いて説明する。この制御装置は、図３に示すように、遊技店に設置された図示しない変圧トランスから供給される外部電源である交流電圧ＡＣ２４Ｖを受けて複数種類の直流電圧を生成する電源基板５０と、遊技動作全般の制御を司る主制御基板６０と、その主制御基板６０からの制御コマンドに基づいて遊技球を払出す払出制御基板７０と、その主制御基板６０からの制御コマンドを受けて演出処理を行う演出制御基板８０と、その演出制御基板８０からの演出コマンドＤＩ_ＣＭＤ（図４参照）に応じた画像をメイン液晶表示装置４１Ａ及びサブ液晶表示装置４１Ｂに表示するよう制御する液晶制御基板９０とで主に構成されている。なお、演出制御基板８０は、上記主制御基板６０からの制御コマンドを演出Ｉ／Ｆ基板１００を介して受信している。また、液晶制御基板９０は、上記演出制御基板８０からの演出コマンドＤＩ_ＣＭＤ（図４参照）を演出Ｉ／Ｆ基板１００及び液晶Ｉ／Ｆ基板１１０を介して受信している。
【００２０】
電源基板５０は、遊技店に設置された図示しない変圧トランスから供給される外部電源である交流電圧ＡＣ２４Ｖを受けて複数種類の直流電圧を生成し、図３に示すように、その生成された直流電圧のうちＤＣ１２Ｖが払出制御基板７０に供給され、ＤＣ１２Ｖ，ＤＣ３２Ｖが主制御基板６０に供給される。そしてさらに、ＤＣ５Ｖ，ＤＣ１２Ｖ，ＤＣ１５Ｖ及びＤＣ３２Ｖが演出Ｉ／Ｆ基板１００に供給される。なお、払出制御基板７０には、上記外部電源である交流電圧ＡＣ２４Ｖが電源基板５０を介して供給されている。
【００２１】
他方、主制御基板６０は、遊技盤中継基板１２０を介して遊技盤４の各遊技部品に接続されており、これにより、遊技盤４上の各始動口４２，４４及び各入賞口４３，４５の内部に設けられているスイッチ信号を受信する一方、大入賞口４３などのソレノイド類を駆動するソレノイド類駆動信号を遊技盤中継基板１２０に送信している。
【００２２】
また、主制御基板６０は、上記各入賞口４３，４５からのスイッチ信号を受信した場合、遊技者に幾らの遊技球を払い出すかを決定し、その決定した情報を払出制御コマンドとして送信する。そしてその一方で、払出制御基板７０からは、遊技球の払出動作を示す賞球計数信号や払出動作の異常に係るステイタス信号を受信している。なお、ステイタス信号には、例えば、補給切れ信号、払出不足エラー信号、下皿満杯信号が含まれている。
【００２３】
さらに、主制御基板６０は、上記各始動口４２，４４からのスイッチ信号を受信すると、遊技者に有利な特別遊技状態を発生させるか（いわゆる「当たり」）、あるいは、遊技者に有利な特別遊技状態を発生させないか（いわゆる「ハズレ」）の抽選を行い、その抽選結果である当否情報に応じて特別図柄の変動パターンや停止図柄あるいは普通図柄の表示内容を決定し、その決定した情報を特別図柄表示装置４６又は普通図柄表示装置４７に送信する。これにより、特別図柄表示装置４６又は普通図柄表示装置４７に抽選結果が表示されることとなる。そしてさらに、主制御基板６０は、その決定した情報を含む制御コマンドを生成し、演出Ｉ／Ｆ基板１００に送信する。なお、主制御基板６０は、電源基板５０から供給された直流電圧ＤＣ３２Ｖを遊技盤中継基板１２０に供給している。
【００２４】
一方、払出制御基板７０は、上記主制御基板６０からの払出制御コマンドを受信し、その受信した払出制御コマンドに基づいて払出モータ信号を生成し、その生成した払出モータ信号にて、払出モータ（図示しない）を制御して遊技者に遊技球を払出す。そしてさらに、払出制御基板７０は、遊技球の払出動作を示す賞球計数信号や払出動作の異常に係るステイタス信号を送信し、遊技者の操作に応答して遊技球を発射させる発射制御基板１３０の作動を開始又は停止させる発射制御信号を送信する。なお、払出制御基板７０は、電源基板５０から供給された交流電圧ＡＣ２４Ｖを発射制御基板１３０に供給している。
【００２５】
また、演出制御基板８０は、ＲＯＭ，ＲＡＭ，ＣＰＵ，音ＬＳＩ，音ＲＯＭ（図示せず）が搭載されており、演出Ｉ／Ｆ基板１００を介して上記主制御基板６０から送信された制御コマンドに基づいて、上記前面枠３の周枠に配設されているＬＥＤランプ等の装飾ランプを駆動制御して光による演出を実現させるための信号を演出Ｉ／Ｆ基板１００を介して装飾ランプ基板１４０に送信する処理を行う。そしてさらに、演出制御基板８０は、上記制御コマンドに基づいて、スピーカ１６を駆動制御して音による演出を実現するための信号を演出Ｉ／Ｆ基板１００を介してスピーカ１６に送信する処理を行う。また、演出制御基板８０は、上記主制御基板６０から送信された制御コマンドに基づいて、上記演出ボタン装置１３に内蔵されているランプ（図示せず）を点灯又は消灯させるための信号を送信する処理を行う。
【００２６】
また一方、演出制御基板８０は、上記制御コマンドに基づいて、液晶制御基板９０を制御してメイン液晶表示装置４１Ａ及びサブ液晶表示装置４１Ｂによる画像演出を実現させるための演出コマンドＤＩ_ＣＭＤ（図４参照）を演出Ｉ／Ｆ基板１００及び液晶Ｉ／Ｆ基板１１０を介して液晶制御基板９０に送信する処理を行う。なお、演出Ｉ／Ｆ基板１００は、電源基板５０から供給された直流電圧ＤＣ５Ｖ，ＤＣ１２Ｖを液晶Ｉ／Ｆ基板１１０に供給し、液晶Ｉ／Ｆ基板１１０は、上記演出Ｉ／Ｆ基板１００から供給された直流電圧ＤＣ５Ｖ及び当該液晶Ｉ／Ｆ基板１１０にて生成された直流電圧ＤＣ３．３Ｖを液晶制御基板９０に供給している。
【００２７】
他方、液晶制御基板９０は、上記演出制御基板８０からの演出コマンドＤＩ_ＣＭＤ（図４参照）に応じたメイン液晶表示装置４１Ａ用の画像データを生成し、その生成した画像データを液晶Ｉ／Ｆ基板１１０を介してメイン液晶表示装置４１Ａに送信している。これにより、メイン液晶表示装置４１Ａに、上記演出コマンドＤＩ_ＣＭＤ（図４参照）に基づく画像が表示されることとなる。また、液晶制御基板９０は、上記演出制御基板８０からの演出コマンドＤＩ_ＣＭＤ（図４参照）に応じたサブ液晶表示装置４１Ｂ用の画像データを生成し、その生成した画像データを液晶Ｉ／Ｆ基板１１０及びサブ液晶Ｉ／Ｆ基板１５０を介してサブ液晶表示装置４１Ｂに送信している。これにより、サブ液晶表示装置４１Ｂに、上記演出コマンドＤＩ_ＣＭＤ（図４参照）に基づく画像が表示されることとなる。なお、液晶Ｉ／Ｆ基板１１０は、上記演出Ｉ／Ｆ基板１００から供給された直流電圧ＤＣ１２Ｖ及び当該液晶Ｉ／Ｆ基板１１０にて生成された直流電圧ＤＣ３．３Ｖをメイン液晶表示装置４１Ａに供給している。また、液晶Ｉ／Ｆ基板１１０は、上記演出Ｉ／Ｆ基板１００から供給された直流電圧ＤＣ５Ｖ及び当該液晶Ｉ／Ｆ基板１１０にて生成された直流電圧ＤＣ３．３Ｖをサブ液晶Ｉ／Ｆ基板１５０に供給している。そして、サブ液晶Ｉ／Ｆ基板１５０は、上記液晶Ｉ／Ｆ基板１１０から供給された直流電圧ＤＣ５Ｖ及び当該サブ液晶Ｉ／Ｆ基板１５０にて生成された直流電圧ＤＣ２８．８Ｖをサブ液晶表示装置４１Ｂに供給している。
【００２８】
ここで、本発明の特徴部分に係る液晶制御基板９０及び液晶Ｉ／Ｆ基板１１０並びにサブ液晶Ｉ／Ｆ基板１５０について図４〜図８も用いてより詳しく説明する。
【００２９】
液晶制御基板９０は、図３に示すように、上記演出制御基板８０からの演出コマンドＤＩ_ＣＭＤを演出Ｉ／Ｆ基板１００及び液晶Ｉ／Ｆ基板１００を介して受信し、メイン液晶表示装置４１Ａ及びサブ液晶表示装置４１Ｂの表示制御を行うために必要な制御データを生成する液晶制御ＣＰＵ９０ａと、作業領域やバッファメモリ等として機能する液晶制御ＲＡＭ９０ｃとで構成された１チップマイクロコンピュータを搭載し、さらに、液晶制御ＣＰＵ９０ａの動作手順を記述したプログラム等が格納されている液晶制御ＲＯＭ９０ｂが搭載されている。そしてさらに、液晶制御基板９０は、液晶制御ＣＰＵ９０ａに接続されて画像展開処理を行う映像表示プロセッサＶＤＰ９０ｄと、ＶＤＰ９０ｄが画像展開する際に必要な画像データを格納したＶＲＯＭ９０ｅと、ＶＤＰ９０ｄが展開した画像データを一時的に記憶するＶＲＡＭ９０ｆが搭載されている。
【００３０】
このように構成される液晶制御基板９０は、液晶制御ＣＰＵ９０ａにて、上記演出コマンドＤＩ_ＣＭＤに基づくメイン液晶表示装置４１Ａ及びサブ液晶表示装置４１Ｂの表示制御を行うために必要な制御データを生成し、その生成した制御データをＶＤＰ９０ｄに送信する。これを受けてＶＤＰ９０ｄは、当該制御データに基づく画像展開処理を行い、その展開した画像に関連する信号を液晶Ｉ／Ｆ基板１１０に送信する。なお、この画像に関連する信号については、後述することとする。
【００３１】
液晶Ｉ／Ｆ基板１１０は、図４に示すように、主に、ＤＣ−ＤＣコンバータ１１１０と、第１バッファ１１１１と、第２バッファ１１１２と、トランスミッタ１１１３が搭載されている。なお、これら上記液晶Ｉ／Ｆ基板１１０に搭載されている部品を演出Ｉ／Ｆ基板１００に搭載してもよい。
【００３２】
上記ＤＣ−ＤＣコンバータ１１１０は、上記演出Ｉ／Ｆ基板１００から供給された直流電圧ＤＣ１２Ｖを直流電圧ＤＣ３．３Ｖに変換し、その変換した直流電圧ＤＣ３．３Ｖを液晶制御基板９０に供給する（図３参照）と共に、メイン液晶表示装置４１Ａの駆動電圧として当該メイン液晶表示装置４１Ａに供給している（図３参照）。なお、上記演出Ｉ／Ｆ基板１００から液晶Ｉ／Ｆ基板１１０に供給された直流電圧ＤＣ５Ｖは、液晶制御基板９０に供給されると共に、サブ液晶Ｉ／Ｆ基板１５０に供給されている。また、上記演出Ｉ／Ｆ基板１００から供給された直流電圧ＤＣ１２Ｖは、上記ＤＣ−ＤＣコンバータ１１１０に供給されると共に、メイン液晶表示装置４１Ａのバックライト電圧として当該メイン液晶表示装置４１Ａに供給されている（図３参照）。
【００３３】
一方、第１バッファ１１１１は、上記ＤＣ−ＤＣコンバータ１１１０に変換された直流電圧ＤＣ３．３Ｖが供給され、上記演出制御基板８０にて生成された演出コマンドＤＩ_ＣＭＤ（図示では１６ビット）及びストローブ信号（割込み信号）ＤＩ_ＳＴＢを演出Ｉ／Ｆ基板１００を介して受信し、バッファリングした後、液晶制御基板９０に送信する。
【００３４】
第２バッファ１１１２は、上記ＤＣ−ＤＣコンバータ１１１０に変換された直流電圧ＤＣ３．３Ｖが供給され、液晶制御基板９０、すなわち、ＶＤＰ９０ｄにて上記演出コマンドＤＩ_ＣＭＤ（図示では１６ビット）に基づいて生成された画像に関連する信号、特に、シリアル送信されるサブ液晶表示装置４１Ｂ内のレジスタ（図示せず）を設定するための信号（シリアルコマンドイネーブルＳＣＭＤ_ＥＮＢ，シリアルコマンドデータＳＣＭＤ_ＤＡＴＡ，シリアルコマンドクロックＳＣＭＤ_ＣＬＫ）を、ダンピング抵抗Ｒ１〜Ｒ３を介して受信し、バッファリングした後、サブ液晶Ｉ／Ｆ基板１５０に送信する。
【００３５】
また一方、トランスミッタ１１１３は、上記ＤＣ−ＤＣコンバータ１１１０に変換された直流電圧ＤＣ３．３Ｖが供給され、液晶制御基板９０、すなわち、ＶＤＰ９０ｄにて上記演出コマンドＤＩ_ＣＭＤ（図示では１６ビット）に基づいて生成された画像に関連する信号、特に、サブ液晶表示装置４１Ｂ用の垂直同期信号ＶＳＹＮＣ，水平同期信号ＨＳＹＮＣ，画素クロック信号ＤＯＴＣＬＫ、ディスプレイイネーブル信号ＤＥ，赤データ信号ＤＲ（図示では６ビット），緑データ信号ＤＧ（図示では６ビット），青データ信号ＤＢ（図示では６ビット）を受信し、１ペアのサブ液晶用差動信号ＴＸＯＵＴ＋／−に変換する。そして、その変換された１ペアのサブ液晶用差動信号ＴＸＯＵＴ＋／−は、サブ液晶Ｉ／Ｆ１５０に送信される。なお、上記サブ液晶用差動信号ＴＸＯＵＴ＋の伝送ラインには、ダイオードＤ１のカソードが接続され、サブ液晶用差動信号ＴＸＯＵＴ−の伝送ラインには、ダイオードＤ２のカソードが接続され、ダイオードＤ１，Ｄ２のアノードは、グラウンドに接地されている。これにより、周辺基板等から侵入する静電気を吸収することができ、それゆえ、後述するサブ液晶Ｉ／Ｆ基板１５０に搭載されているレシーバの静電破壊を防止することができると共に、安定したサブ液晶用差動信号ＴＸＯＵＴ＋／−をサブ液晶Ｉ／Ｆ基板１５０に送信することができる。
【００３６】
ここで、トランスミッタ１１１３への入力タイミング及び出力タイミングを図５のタイミングチャート図を用いて詳しく説明する。
【００３７】
図５（ａ）は、トランスミッタ１１１３への入力タイミングが示されており、ディスプレイイネーブル信号ＤＥが「Ｈ」レベルの時（タイミングＴＳ１区間参照）、赤データ信号ＤＲ（図示では６ビット），緑データ信号ＤＧ（図示では６ビット），青データ信号ＤＢ（図示では６ビット）は、有効データが液晶制御基板９０、すなわち、ＶＤＰ９０ｄより出力され、垂直同期信号ＶＳＹＮＣ，水平同期信号ＨＳＹＮＣは、無効データが出力されている。その際、トランスミッタ１１１３は、画素クロック信号ＤＯＴＣＬＫの立下りエッジに同期させて赤データ信号ＤＲ（図示では６ビット），緑データ信号ＤＧ（図示では６ビット），青データ信号ＤＢ（図示では６ビット）の有効データを内部に取り込んでいる。
【００３８】
一方、ディスプレイイネーブル信号ＤＥが「Ｌ」レベルの時（タイミングＴＳ２区間参照）、赤データ信号ＤＲ（図示では６ビット），緑データ信号ＤＧ（図示では６ビット），青データ信号ＤＢ（図示では６ビット）は、無効データが液晶制御基板９０、すなわち、ＶＤＰ９０ｄより出力され、垂直同期信号ＶＳＹＮＣ，水平同期信号ＨＳＹＮＣは、有効データが出力されている。その際、トランスミッタ１１１３は、画素クロック信号ＤＯＴＣＬＫの立下りエッジに同期させて、垂直同期信号ＶＳＹＮＣ，水平同期信号ＨＳＹＮＣの有効データを内部に取り込んでいる。
【００３９】
そして、このようにトランスミッタ１１１３の内部に取り込まれた信号は、図５（ｂ）に示すように、１９ビットの信号が１ペアのサブ液晶用差動信号ＴＸＯＵＴ＋／−としてサブ液晶Ｉ／Ｆ基板１５０に出力される。すなわち、トランスミッタ１１１３の内部に取り込まれた赤データ信号ＤＲ（図示では６ビット），緑データ信号ＤＧ（図示では６ビット），青データ信号ＤＢ（図示では６ビット），垂直同期信号ＶＳＹＮＣ，水平同期信号ＨＳＹＮＣ，ディスプレイイネーブル信号ＤＥがシリアル信号に変換されて、タイミングＴＳ４区間毎に１９ビットの信号が１ペアのサブ液晶用差動信号ＴＸＯＵＴ＋／−としてサブ液晶Ｉ／Ｆ基板１５０に出力される。この１９ビットの信号は、どのように出力されても良いが、例えば、タイミングＴＳ４区間に、赤データ信号ＤＲ（図示では６ビット），緑データ信号ＤＧ（図示では６ビット），青データ信号ＤＢ（図示では６ビット）の計１８ビットの信号に、ディスプレイイネーブル信号ＤＥが付加され、計１９ビットの信号として出力され、次のタイミングで、赤データ信号ＤＲ（図示では６ビット），緑データ信号ＤＧ（図示では６ビット），青データ信号ＤＢ（図示では６ビット）の計１８ビットの信号に、垂直同期信号ＶＳＹＮＣが付加され、計１９ビットの信号として出力されるというように出力しても良い。あるいは、ディスプレイイネーブル信号ＤＥが「Ｈ」レベルの時、タイミングＴＳ４区間に、赤データ信号ＤＲ（図示では６ビット），緑データ信号ＤＧ（図示では６ビット），青データ信号ＤＢ（図示では６ビット）の計１８ビットの信号に、ディスプレイイネーブル信号ＤＥを付加し、計１９ビットの信号として出力し、次のタイミングで、ディスプレイイネーブル信号ＤＥが「Ｌ」レベルの時、垂直同期信号ＶＳＹＮＣ，水平同期信号ＨＳＹＮＣの計２ビットの信号に、ディスプレイイネーブル信号ＤＥを付加し、さらに、１６ビットの固定データ（例えば、「Ｌ」データ）を付加し、計１９ビットの信号として出力するというようにしても良い。なお、このタイミングＴＳ４区間は、画素クロック信号ＤＯＴＣＬＫの１周期（タイミングＴＳ３区間参照）と略同一である。
【００４０】
他方、液晶Ｉ／Ｆ基板１１０は、液晶制御基板９０、すなわち、ＶＤＰ９０ｄにて上記演出コマンドＤＩ_ＣＭＤ（図示では１６ビット）に基づいて生成された画像に関連する信号、特に、メイン液晶表示装置４１Ａ用の画像に関連する信号を含むＬＶＤＳ（Ｌｏｗ  ｖｏｌｔａｇｅ  ｄｉｆｆｅｒｎｔｉａｌ  ｓｉｇｎａｌｉｎｇ）方式の４ペアのメイン液晶用差動信号ＲＸＩＮ０〜３＋／−，１ペアのメイン液晶用差動クロック信号ＲＸＣＬＫ_ＩＮ＋／−を受信し、その受信した４ペアのメイン液晶用差動信号ＲＸＩＮ０〜３＋／−，１ペアのメイン液晶用差動クロック信号ＲＸＣＬＫ_ＩＮ＋／−をメイン液晶表示装置４１Ａに送信する。その際、４ペアのメイン液晶用差動信号ＲＸＩＮ０〜３＋の伝送ラインには、それぞれ、ダイオードＤ３〜Ｄ６のカソードが接続され、４ペアのメイン液晶用差動信号ＲＸＩＮ０〜３−の伝送ラインには、それぞれ、ダイオードＤ７〜Ｄ１０のカソードが接続され、ダイオードＤ３〜Ｄ１０のアノードは、グラウンドに接地されている。また、１ペアのメイン液晶用差動クロック信号ＲＸＣＬＫ_ＩＮ＋の伝送ラインには、ダイオードＤ１１のカソードが接続され、１ペアのメイン液晶用差動クロック信号ＲＸＣＬＫ_ＩＮ−の伝送ラインには、ダイオードＤ１２のカソードが接続され、ダイオードＤ１１，Ｄ１２のアノードはグラウンドに接地されている。これにより、周辺基板等から侵入する静電気を吸収することができる。それゆえ、メイン液晶表示装置４１Ａ内に設けられているレシーバ（図示せず）の静電破壊を防止することができると共に、安定した信号をメイン液晶表示装置４１Ａに送信することができる。
【００４１】
しかして、メイン液晶表示装置４１Ａに、上記液晶Ｉ／Ｆ基板１１０を介して、メイン液晶表示装置４１Ａ用の画像に関連する信号を含むＬＶＤＳ方式の４ペアのメイン液晶用差動信号ＲＸＩＮ０〜３＋／−，１ペアのメイン液晶用差動クロック信号ＲＸＣＬＫ_ＩＮ＋／−が液晶制御基板９０、すなわち、ＶＤＰ９０ｄより送信されると、メイン液晶表示装置４１Ａは、メイン液晶表示装置４１Ａに設けられているレシーバ（図示せず）にてパラレル信号に変換される。そして、この変換されたパラレル信号によりメイン液晶表示装置４１Ａが駆動され、上記演出コマンドＤＩ_ＣＭＤに応じた内容が表示されることとなる。なお、本実施形態においては、差動信号の伝送方式として、ＬＶＤＳを例示したが、これに限らず、Ｖ−ｂｙ−ｏｎｅ（登録商標）等、差動信号であれば、どのような伝送方式を用いても良い。
【００４２】
ところで、サブ液晶Ｉ／Ｆ基板１５０は、図６に示すように、主に、ＤＣ−ＤＣコンバータ１５００と、レシーバ１５０１と、第３バッファ１５０２が搭載されている。なお、これらサブ液晶Ｉ／Ｆ基板１５０に搭載されている部品を液晶Ｉ／Ｆ基板１１０及び／又は演出Ｉ／Ｆ基板１００に搭載してもよい。
【００４３】
上記ＤＣ−ＤＣコンバータ１５００は、上記液晶Ｉ／Ｆ基板１１０から供給された直流電圧ＤＣ５Ｖを直流電圧ＤＣ２８．８Ｖに変換し、その変換した直流電圧ＤＣ２８．８Ｖをサブ液晶表示装置４１Ｂのバックライト電圧として当該サブ液晶表示装置４１Ｂに供給している（図３参照）。そしてさらに、液晶Ｉ／Ｆ基板１１０から供給された直流電圧ＤＣ３．３Ｖは、サブ液晶表示装置４１Ｂにも、当該サブ液晶表示装置４１Ｂの駆動電圧として供給されている。
【００４４】
一方、レシーバ１５０１は、液晶Ｉ／Ｆ基板１１０より供給された直流電圧ＤＣ３．３Ｖが供給され、液晶Ｉ／Ｆ基板１１０、すなわち、トランスミッタ１１１３から出力された１ペアのサブ液晶用差動信号ＴＸＯＵＴ＋／−を受信し、元の信号（サブ液晶表示装置４１Ｂ用の垂直同期信号ＶＳＹＮＣ，水平同期信号ＨＳＹＮＣ，画素クロック信号ＤＯＴＣＬＫ、ディスプレイイネーブル信号ＤＥ，赤データ信号ＤＲ（図示では６ビット），緑データ信号ＤＧ（図示では６ビット），青データ信号ＤＢ（図示では６ビット））に復号する。なお、サブ液晶用差動信号ＴＸＯＵＴ＋／−の伝送ライン間には、サブ液晶用差動信号ＴＸＯＵＴ＋／−の等長配線を行うために終端抵抗Ｒ４が接続されている。
【００４５】
図７を用いて、図６に示すレシーバ１５０１への出力タイミングを詳しく説明する。図７に示すように、レシーバ１５０１からは、画素クロック信号ＤＯＴＣＬＫ及びディスプレイイネーブル信号ＤＥが出力され、そして、ディスプレイイネーブル信号ＤＥが「Ｈ」レベルの時（タイミングＴＳ５区間参照）、赤データ信号ＤＲ（図示では６ビット），緑データ信号ＤＧ（図示では６ビット），青データ信号ＤＢ（図示では６ビット）の有効データ（ディスプレイイネーブル信号ＤＥが「Ｈ」レベルの時、画素クロック信号ＤＯＴＣＬＫの立下りエッジに同期して、トランスミッタ１１１３内部に取り込まれたデータ）が出力され、垂直同期信号ＶＳＹＮＣ，水平同期信号ＨＳＹＮＣは、タイミングＴＳ５区間直前の画素クロック信号ＤＯＴＣＬＫの立下りエッジ（タイミングｔ１参照）に同期した垂直同期信号ＶＳＹＮＣ，水平同期信号ＨＳＹＮＣの有効データ（ディスプレイイネーブル信号ＤＥが「Ｌ」レベルの時、画素クロック信号ＤＯＴＣＬＫの立下りエッジに同期して、トランスミッタ１１１３内部に取り込まれたデータ）の値が保持されて出力される。
【００４６】
一方、ディスプレイイネーブル信号ＤＥが「Ｌ」レベルの時（タイミングＴＳ６区間参照）、垂直同期信号ＶＳＹＮＣ，水平同期信号ＨＳＹＮＣの有効データが出力され、赤データ信号ＤＲ（図示では６ビット），緑データ信号ＤＧ（図示では６ビット），青データ信号ＤＢ（図示では６ビット）は、「Ｌ」データが出力される。
【００４７】
しかして、サブ液晶表示装置４１Ｂに、レシーバ１５０１にて上述したように復号された信号（サブ液晶表示装置４１Ｂ用の垂直同期信号ＶＳＹＮＣ，水平同期信号ＨＳＹＮＣ，画素クロック信号ＤＯＴＣＬＫ、ディスプレイイネーブル信号ＤＥ，赤データ信号ＤＲ（図示では６ビット），緑データ信号ＤＧ（図示では６ビット），青データ信号ＤＢ（図示では６ビット））が送信されることにより、サブ液晶表示装置４１Ｂが駆動され、上記演出コマンドＤＩ_ＣＭＤに応じた内容が表示されることとなる。
【００４８】
他方、第３バッファ１５０２は、液晶Ｉ／Ｆ基板１１０にて供給された直流電圧ＤＣ３．３Ｖが供給され、液晶Ｉ／Ｆ基板１１０から送信されたサブ液晶表示装置４１Ｂ内のレジスタ（図示せず）を設定するための信号（シリアルコマンドイネーブルＳＣＭＤ_ＥＮＢ，シリアルコマンドデータＳＣＭＤ_ＤＡＴＡ，シリアルコマンドクロックＳＣＭＤ_ＣＬＫ）を受信し、バッファリングした後、サブ液晶表示装置４１Ｂに送信する。これにより、サブ液晶表示装置４１Ｂ内のレジスタ（図示せず）に所望の値が設定されることとなる。
【００４９】
このサブ液晶表示装置４１Ｂ内のレジスタ（図示せず）を設定するための信号のタイミングを図８に示すタイミングチャート図を用いて詳しく説明する。
【００５０】
図８に示すように、シリアルコマンドイネーブルＳＣＭＤ_ＥＮＢが「Ｌ」レベルの時（タイミングＴＳ１０区間参照）、シリアルコマンドデータＳＣＭＤ_ＤＡＴＡ，シリアルコマンドクロックＳＣＭＤ_ＣＬＫから有効データが出力され、シリアルコマンドイネーブルＳＣＭＤ_ＥＮＢが「Ｈ」レベルの時、無効データが出力される。より具体的に説明すると、シリアルコマンドイネーブルＳＣＭＤ_ＥＮＢが「Ｌ」レベルの時（タイミングＴＳ１０区間参照）、シリアルコマンドクロックＳＣＭＤ_ＣＬＫから９クロックのデータが出力され、そのシリアルコマンドクロックＳＣＭＤ_ＣＬＫの立ち上がりエッジに同期してシリアルコマンドデータＳＣＭＤ_ＤＡＴＡが１ビット毎、計９ビット出力される。しかしながら、タイミングｔ１０時におけるシリアルコマンドクロックＳＣＭＤ_ＣＬＫの立ち上がりエッジに同期したシリアルコマンドデータＳＣＭＤ_ＤＡＴＡは無効データであるため、サブ液晶表示装置４１Ｂにて最初のデータは無視される。そのため、サブ液晶表示装置４１Ｂは、８ビットのシリアルコマンドデータＳＣＭＤ_ＤＡＴＡ（タイミングＴＳ１１区間参照）を有効データと認識する。それゆえ、そのデータを用いてサブ液晶表示装置４１Ｂ内のレジスタ（図示せず）に所望の値が設定されることとなる。
【００５１】
しかして、上述の構成によれば、駆動周波数特性が異なると共に、画面サイズが異なる表示手段（メイン液晶表示装置４１Ａ，サブ液晶表示装置４１Ｂ）を用いて演出性を高めることができると共に、表示制御の信頼性を向上させることができる。すなわち、例えば、図２に示すメイン液晶表示装置４１Ａの駆動周波数が４０ＭＨｚで、サブ液晶表示装置４１Ｂの駆動周波数が８．６９ＭＨｚであった場合、耐ノイズ性を考慮し、ＶＤＰ９０ｄからＬＶＤＳ方式の信号を出力させたとしても、当該ＶＤＰ９０ｄから出力されるＬＶＤＳ方式の信号の動作周波数が３５ＭＨｚ以上であった場合、サブ液晶表示装置４１Ｂは動作保証されない。そのため、本実施形態のように、メイン液晶表示装置４１Ａには、ＶＤＰ９０ｄからＬＶＤＳ方式の差動信号を出力し、サブ液晶表示装置４１Ｂには、ＶＤＰ９０ｄから標準レベルのサブ液晶表示装置４１Ｂ用の垂直同期信号ＶＳＹＮＣ，水平同期信号ＨＳＹＮＣ，画素クロック信号ＤＯＴＣＬＫ、ディスプレイイネーブル信号ＤＥ，赤データ信号ＤＲ，緑データ信号ＤＧ，青データ信号ＤＢを出力したものを当該サブ液晶表示装置４１Ｂ用の信号の耐ノイズ性を考慮し、差動信号に変換し、その変換した差動信号を元のデータに復号させて出力させれば、メイン液晶表示装置４１Ａ及びサブ液晶表示装置４１Ｂの表示制御の信頼性を向上させることができる。そしてさらには、メイン液晶表示装置４１Ａ及びサブ液晶表示装置４１Ｂを用いているため、演出性を高めることもできる。
【００５２】
なお、本実施形態においては、２つの液晶表示装置を用いる例を示したが、勿論、それ以上設けても良い。
【符号の説明】
【００５３】
１                        パチンコ遊技機
４１Ａ                    メイン液晶表示装置（表示手段）
４１Ｂ                    サブ液晶表示装置（表示手段）
９０                      液晶制御基板
９０ｄ                    ＶＤＰ（画像生成手段）
１１０                    液晶Ｉ／Ｆ基板
１５０                    サブ液晶Ｉ／Ｆ基板
１１１３                  トランスミッタ（変換手段）
１５０１                  レシーバ（復号手段）
ＲＸＩＮ０〜３＋／−      メイン液晶用差動信号（第１の差動信号）
ＲＸＣＬＫ_ＩＮ＋／−      メイン液晶用差動クロック信号（第１の差動信号）
ＶＳＹＮＣ                サブ液晶表示装置用の垂直同期信号
（パラレル信号，復号された信号）
ＨＳＹＮＣ                サブ液晶表示装置用の水平同期信号
（パラレル信号，復号された信号）
ＤＯＴＣＬＫ              サブ液晶表示装置用の画素クロック信号
（パラレル信号，復号された信号）
ＤＥ                      サブ液晶表示装置用のディスイネーブル信号
（パラレル信号，復号された信号）
ＤＲ                      サブ液晶表示装置用の赤データ信号
（パラレル信号，復号された信号）
ＤＧ                      サブ液晶表示装置用の緑データ信号
（パラレル信号，復号された信号）
ＤＢ                      サブ液晶表示装置用の青データ信号
（パラレル信号，復号された信号）
ＴＸＯＵＴ＋／−          サブ液晶用差動信号（第２の差動信号）
【図１】
0005615399.tif 000002
【図２】
0005615399.tif 000003
【図３】
0005615399.tif 000004
【図４】
0005615399.tif 000005
【図５】
0005615399.tif 000006
【図６】
0005615399.tif 000007
【図７】
0005615399.tif 000008
【図８】
0005615399.tif 000009